(57)【要約】【課題】屋外の様々な箇所に簡易に対応して、かつ、その場合に充分な耐候性、耐久性を有して適切に設置することができる。【解決手段】ソーラーライト１０は、太陽電池１６と、この太陽電池１６を駆動源として発光する光源１８であるＬＥＤランプと、この光源１８から発光された光を拡散させる拡散レンズ２６とを備えている。ソーラーライト１０は、更に、発光ユニット１２の全体を覆うと共に台座１４に取り付けられる透光性を有するカバー２２を備え、発光ユニット１２はこのカバー２２の内部に取り付けられてカバー２２を介して台座１４に支持されている。ソーラーライト１０は、台座１４に取り付けられ、設置場所に固定される取付具４０を有している。この取付具４０は、台座１４との間に設置対象１の少なくとも一部が入り込んで台座１４との間で設置対象１の少なくとも一部を挟持することをができる間隙４６を有している。【選択図】　　　　図２
2004047119.tif 000002
【特許請求の範囲】
【請求項１】
太陽電池と前記太陽電池を駆動源として発光する光源と前記太陽電池及び前記光源を保持する保持体とから成る発光ユニットと、前記発光ユニットを支持する台座とを備えたソーラーライトにおいて、前記発光ユニットの全体を覆うと共に前記台座に取り付けられる透光性を有するカバーを備え、前記発光ユニットは前記カバーの内部に取り付けられて前記カバーを介して前記台座に支持されていることを特徴とするソーラーライト。
【請求項２】
請求項１に記載されたソーラーライトであって、前記カバーは、前記発光ユニットを上方から覆う略カップ状の形状を有し、前記発光ユニットは、前記略カップ状のカバーの底面側の内部に取り付けられていることを特徴とするソーラーライト。
【請求項３】
請求項１又は請求項２のいずれかに記載されたソーラーライトであって、前記カバーは一体成型物であることを特徴とするソーラーライト。
【請求項４】
請求項１乃至請求項３のいずれかに記載されたソーラーライトであって、前記カバーは、前記台座に着脱自在に取り付けられていることを特徴とするソーラーライト。
【請求項５】
請求項１乃至請求項４のいずれかに記載されたソーラーライトであって、前記カバーは、前記光源から発光された光を拡散する拡散レンズを有していることを特徴とするソーラーライト。
【請求項６】
請求項１乃至請求項５のいずれかに記載されたソーラーライトであって、更に、前記台座に取り付けられ設置場所に固定される取付具を有し、前記取付具は、前記台座との間に設置対象の少なくとも一部が入り込んで前記台座との間で前記設置対象の少なくとも一部を挟持することをができる間隙を形成しつつ前記台座に取り付けできることを特徴とするソーラーライト。
【請求項７】
太陽電池と前記太陽電池を駆動源として発光する光源と前記太陽電池及び前記光源を保持する保持体とから成る発光ユニットと、前記発光ユニットを支持する台座とを備えたソーラーライトにおいて、前記台座に取り付けられ設置場所に固定される取付具を有し、前記取付具は、前記台座との間に設置対象の少なくとも一部が入り込んで前記台座との間で前記設置対象の少なくとも一部を挟持することをができる間隙を形成しつつ前記台座に取り付けできることを特徴とするソーラーライト。
【請求項８】
請求項６又は請求項７のいずれかに記載されたソーラーライトであって、前記取付具は、更に、支柱を着脱自在に取り付けることができる嵌入孔を有していることを特徴とするソーラーライト。
【請求項９】
請求項６乃至請求項８のいずれかに記載されたソーラーライトであって、前記取付具は、前記台座に着脱自在に取り付けられていることを特徴とするソーラーライト。
【発明の詳細な説明】
【０００１】
【発明の属する技術分野】
本発明は、庭先等の屋外にガーデンライトとして設置されるソーラーライトの改良に関し、特に屋外の様々な場所に簡易にかつ適切に対応して設置することができるソーラーライトに関するものである。
【０００２】
【従来の技術】
ガーデンライトは、一般の照明装置と異なり、屋外の様々な場所に設置される。この場合、従来は、主に、ガーデンライトを支柱により支持して、この支柱を地中に埋め込む等して立脚して設置されることが多かった。
【０００３】
また、このように屋外で使用するため、ガーデンライトにあっては、コンセントやコード、また定期的な交換等が不要な太陽電池を電源として使用したソーラーライトが用いられることが多く、また、それに伴い、光源としても、この電源である太陽電池の蓄電率の低下を可能な限り防止して長時間にわたって安定的に電気を供給することができるように、光源としての消費電力や必要な電圧、耐久性等を考慮して、一般の電球等ではなく、白色ＬＥＤ等のＬＥＤ（発光ダイオード）を使用されることが多かった。
【０００４】
この場合、従来は、一般に、この太陽電池等の電源や光源としてのＬＥＤ等を有する発光ユニットに、下方から透光性のケース等をビス止めや嵌合等の適宜の手段により取り付けて、この発光ユニットを下方から支持していた。
【０００５】
【発明が解決しようとする課題】
しかし、近時のガーデニングの趣味としての幅広い普及等に伴い、ソーラーライトは、地中に埋め込むことができる場所だけにとどまらず、例えば、玄関先等の下方が土ではなくコンクリート等である硬い場所や、また手摺りや格子等の支柱を埋め込むことができないに箇所に設置することが望まれる場合も多くなってきたと共に、格子等に横倒しにした状態で設置することが望まれる場合も多くなった。このため、これらのユーザーの様々なニーズに応えて、屋外の様々な箇所に簡易にかつ適切に設置できるようにすることが望まれていた。
【０００６】
また、このように、屋外の様々な箇所に設置する場合、屋外では、ソーラーライトが風雨に曝されるため、耐候性等に充分な配慮を払う必要があるが、従来は、発光ユニットと透光性のケースとが、いわば上下に２分割されて配置されていたため、両者の接合部分等から、発光ユニット内に風雨等が侵入し、太陽電池等の電源やＬＥＤ等の光源等の電気的性能に悪影響を与え、耐用性、耐久性が低下するおそれがあった。特に、この問題は、上記のように、ソーラーライトを横倒しにした状態等で使用した場合には、その傾向が一層顕著となるおそれがあった。
【０００７】
本発明が解決しようとする課題は、上記の問題点に鑑み、屋外の様々な箇所に簡易に対応して、かつ、その場合に充分な耐候性、耐久性を有して、屋外に適切に設置することができるソーラーライトを提供することにある。
【０００８】
【課題を解決するための手段】
本発明は、上記の課題を解決するための第１の手段として、太陽電池とこの太陽電池を駆動源として発光する光源とこれらの太陽電池及び光源を保持する保持体とから成る発光ユニットと、この発光ユニットを支持する台座とを備えたソーラーライトにおいて、発光ユニットの全体を覆うと共に台座に取り付けられる透光性を有するカバーを備え、発光ユニットはこのカバーの内部に取り付けられてカバーを介して台座に支持されていることを特徴とするソーラーライトを提供するものである。
【０００９】
このように、発光ユニットの全てを透光性カバーにより覆って、このカバーの内部に発光ユニットを取り付けると、発光ユニットとカバーの接合部が外部に露出しないため、この接合部から風雨が内部に侵入して発光ユニットが影響を受けることがなく、耐候性、耐久性が向上すると同時に、その結果、屋外の様々な箇所に横倒し等して様々な方法で設置することができる。
【００１０】
本発明は、上記の課題を解決するための第２の手段として、上記第１の解決手段において、カバーは、発光ユニットを上方から覆う略カップ状の形状を有し、発光ユニットは、このカップ状のカバーの底面側の内部に取り付けられていることを特徴とするソーラーライトを提供するものである。
【００１１】
このように、発光ユニットを、略カップ状のカバーによって上方から覆うと共にカバーの底面側の内部に取り付けると、ソーラーライトを縦置きにした場合には発光ユニットが上方に位置することになるため、外部からの風雨等により影響を受けにくくなると共に、ソーラーライトを横倒しの状態に設置したした場合にも台座から遠い位置に配置されるため、同様に風雨からの影響を受けにくくなる。
【００１２】
本発明は、上記の課題を解決するための第３の手段として、上記第１又は第２のいずれかの解決手段において、カバーは一体成型物であることを特徴とするソーラーライトを提供するものである。
【００１３】
このように、カバーを継ぎ目のない一体成型物とすると、より一層風雨が侵入しにくくなり、耐候性・耐久性を高めることができる。
【００１４】
本発明は、上記の課題を解決するための第４の手段として、上記第１乃至第３のいずれかの解決手段において、カバーは、台座に着脱自在に取り付けられていることを特徴とするソーラーライトを提供するものである。
【００１５】
このように、発光ユニットを支持するカバーを台座に着脱自在に取り付けると、必要に応じて、カバーを着脱することにより、内部の発光ユニットやカバー、また、台座を修理したり、簡易に交換してシステムアップ等を容易に行うことができる。
【００１６】
本発明は、上記の課題を解決するための第５の手段として、上記第１乃至第４のいずれかの解決手段において、カバーは、光源から発光された光を拡散する拡散レンズを有していることを特徴とするソーラーライトを提供するものである。
【００１７】
このように、透光性のカバーに拡散レンズを形成すると、光の拡散効率を向上させることができる。
【００１８】
本発明は、上記の課題を解決するための第６の手段として、上記第１乃至第５のいずれかの解決手段において、更に、台座に取り付けられ設置場所に固定される取付具を有し、この取付具は、台座との間に設置対象の少なくとも一部が入り込んで台座との間で設置対象の少なくとも一部を挟持することをができる間隙を形成しつつ台座に取り付けできることを特徴とするソーラーライトを提供するものである。
【００１９】
このように、台座に更に取付具を取付け、この台座と取付具との間に間隙を設けると、例えば、格子等に簡易に取り付けることができる。
【００２０】
本発明は、上記の課題を解決するための第７の手段として、太陽電池とこの太陽電池を駆動源として発光する光源とこれらの太陽電池及び光源を保持する保持体とから成る発光ユニットと、この発光ユニットを支持する台座とを備えたソーラーライトにおいて、台座に取り付けられ設置場所に固定される取付具を有し、この取付具は、台座との間に設置対象の少なくとも一部が入り込んで台座との間で設置対象の少なくとも一部を挟持することをができる間隙を形成しつつ台座に取り付けできることを特徴とするソーラーライトを提供するものである。
【００２１】
本発明は、上記の課題を解決するための第８の手段として、上記第６又は第７のいずれかの解決手段において、取付具は、更に、支柱を着脱自在に取り付けることができる嵌入孔を有していることを特徴とするソーラーライトを提供するものである。
【００２２】
このように、取付具に、支柱の嵌入孔を形成すると、ガーデンライトを、１つの取付具で支柱を地中等に埋め込んで立脚して設置することができると共に、この支柱として様々な形態を用意することにより、コンクリート等の硬い面や手摺りの上等にも簡易に対応して設置することができる。
【００２３】
本発明は、上記の課題を解決するための第９の手段として、上記第６乃至第７のいずれかの解決手段において、取付具は、台座に着脱自在に取り付けられて互換できることを特徴とするソーラーライトを提供するものである。
【００２４】
このように、取付具自体を台座に着脱自在に取り付けると、ソーラーライトの格子等への着脱作業を容易に行うことができると共に、設置箇所に適合した適切な取付具に交換することにより場所を選ばずにソーラーライトを設置することができる。
【００２５】
【発明の実施の形態】
本発明の実施の形態を図面を参照しながら詳細に説明すると、図１及び図２は本発明のソーラーライト１０を示し、このソーラーライト１０は、図１及び図２に示すように、発光ユニット１２と、この発光ユニット１２を支持する台座１４とを備えている。この発光ユニット１２は、図２に示すように、太陽電池１６と、この太陽電池１６を駆動源として発光する光源１８と、これらの太陽電池１６及び光源１８を保持する保持体２０とから成っている。
【００２６】
光源１８は、図２に示すように、太陽電池１６と電気的に接続されて、この太陽電池１６を電源として発光する。この場合、光源１８としては、太陽電池１６の消費電力や電圧等を考慮して、図示の実施の形態では、白色ＬＥＤ等のＬＥＤを使用したＬＥＤランプを使用している。この光源１８は、ソーラーライトを、特に、庭先等の屋外に設置するガーデンライトとして使用する場合には、このＬＥＤランプであることが望ましいが、必ずしも、ＬＥＤランプに限定されるものではなく、適切な他の光源１８を使用することを妨げるものではない。
【００２７】
本発明のソーラーライト１０は、図１及び図２に示すように、発光ユニット１２の全体を覆うと共に、台座１４に取り付けられる透光性を有するカバー２２を備えている。発光ユニット１２は、図２に特に示すように、このカバー２２の内部に取り付けられて、カバー２２を介して台座１４に支持されている。従って、図２に示すように、このカバー２２により、発光ユニット１２と台座１４との間に光を放射する放射空間が形成される。光源１８であるＬＥＤランプは、図示の実施の形態では、図２に示すように、保持体２０の底面からカバー２２内に突出するようにして配置され、このカバー２２により形成されたカバー２２内の放射空間に光を放射し、この放射された光は、このカバー２２の側面部を透過して外部に照射される。
【００２８】
この場合、ソーラーライト１０は、図３に示すように、光源１８の周方向に配置されて周方向の光を拡散させる拡散手段２４を備えている。具体的には、この拡散手段２４は、光を透過して外部に放射する役割を有するカバー２２に形成された拡散レンズ２６から成っている。この拡散レンズ２６は、図示の実施の形態では、図１及び図３に示すように、カバー２２の縦方向に伸びて光を左右方向に散らす凸レンズであるのが示されている。但し、拡散レンズ２６の態様は、図示の状態には限られず、カバー２２の周方向に伸びる凸レンズとしたり、又は、縦横のレンズを組み合わせて形成したり、更には、図３のようにカバー２２の外周面ではなく、カバー２２の内周面のみ又は外周面と内周面の両方に形成することもできる。
【００２９】
光源１８から発光された光は、このカバー２２に形成された拡散レンズ２６により拡散されて広範囲に放射される。これにより、光源１８が、特に、軸線方向への光の指向性が強いＬＥＤランプであっても、ソーラーライト１０の周方向の全方位に向けて光を効率的に拡散することができ、屋外にガーデンライトとして設置した場合に照明効果を高めることができる。なお、図２において、符号２８、３０は、光源１８から発光された光を拡散手段２４である拡散レンズ２６の方向へ輻射する上下のリフレクタを示す。
【００３０】
カバー２２は、より具体的には、図１及び図２に示すように、発光ユニット１２を上方から覆う略カップ状の形状を有し、発光ユニット１２は、このカップ状のカバー２２の底面側の内部に取り付けられている。この場合、カバー２２は、図２及び図４に示すように、その底面の周部に形成されたビス止め部３２を有し、このビス止め部３２にビス３４を締め付けることにより、発光ユニット１２の保持体２０と螺合されて、発光ユニット１２を上方から持ち下げるようにして支持する。
【００３１】
従って、本発明においては、発光ユニット１２は、単にカバー２２内に配置されるだけではなく、図１及び図２に示すように、発光ユニット１２とカバー２２の接合部が外部に露出していないため、この接合部から風雨が内部に侵入して発光ユニット１２が影響を受けることがなく、耐候性、耐久性が向上すると同時に、その結果、屋外の様々な箇所において、例えば図５に示すように、横倒し等して様々な方法で設置することができる。
【００３２】
特に、この場合、発光ユニット１２は、略カップ状のカバー２２の底面側の内部に取り付けられているため、図２に示すように、ソーラーライト１０を縦置きにした場合に発光ユニット１２が上方に位置することになるため、外部からの風雨等により影響を受けにくくなると共に、ソーラーライト１０を横倒しの状態に設置したした場合にも台座１４から遠い位置に配置されるため、同様に風雨からの影響を受けにくくなる。なお、図２に示す実施の形態では、発光ユニット１２を、カバー２２に形成されたビス止め部３２とビス３４によりカバー２２に取り付けたが、カバー２２の内部に確実に取り付けることができれば、嵌合や回し嵌め等の他の適宜の方法によって、発光ユニット１２をカバー２２に取り付けることもできる。
【００３３】
また、このカバー２２は、透明なプラスチック等から形成することができるが、この場合、図２に示すように、一体成型物として成型する。これにより、カバー２２に外部から風雨が侵入することができる継ぎ目がなくなるため、より一層確実に耐候性・耐久性を高めることができる。
【００３４】
更に、このカバー２２は、図２に示すように、台座１４に着脱自在に取り付けられている。具体的には、図２に示すように、台座１４に取り付けられた下方のリフレクタ２８の周縁に形成された係止部３６と、カバー２２の開口部に設けられ、この係止部３６に係止する係止爪３８とを、相対的に回し嵌めすることにより結合して、カバー２２を台座１４に着脱自在に取り付けることができる。従って、必要に応じて、カバー２２を着脱することにより、内部の発光ユニット１２やカバー２２、また、台座１４を修理したり、また、簡易に交換してシステムアップ等を容易に行うことができる。
【００３５】
また、本発明のソーラーライト１０は、図２及び図５乃至図７に示すように、台座１４に取り付けられ、設置場所に固定される取付具４０を有している。この取付具４０は、図２及び図５に示すように、台座１４との間に設置対象１の少なくとも一部が入り込んで台座１４との間で設置対象１の少なくとも一部を挟持することをができる間隙４６を形成しつつ台座１４に取り付けできる。
【００３６】
具体的には、取付具４０は、図２及び図５に示すように、ベース部４２と、このベース部４２から立脚する複数の支持部４４とを有し、この支持部４４が、台座１４に取り付けられたリフレクタ２８の脚部２８Ａに係合するとともに、この脚部２８Ａに形成された螺子溝に螺合されることにより、リフレクタ２８を介して台座１４に着脱自在に取り付けられると同時に、この支持部４４により、間隙４６が設けられる。
【００３７】
従って、図５に示すように、例えば、設置対象１が、ラティス格子１Ａである場合等にも、取付具４０と台座１４を、それぞれ、このラティス格子１Ａの板面の両面側から格子１Ａにあてがうようにして配置した後、格子１Ａ間の隙間から、取付具４０と、台座１４に取り付けられたリフレクタ２８の脚部２８Ａとを通して相互に螺合により連結することにより、取付具２８と台座１４との間にラティス格子１Ａを挟持すると共に支持部４４をラティス格子１Ａに係止させて、このラティス格子１Ａにソーラーライト１０を固定的に取り付けることができる。
【００３８】
この場合、取付具４０は、図２及び図５、図７に示すように、螺合等により台座１４に着脱自在に取り付けられている。このため、図５に示すようなソーラーライト１０のラティス格子１Ａ等への着脱作業を容易に行うことができる。また、着脱自在であるため、取付具４０を、設置箇所に適合した適切な取付具４０に交換することにより場所を選ばずにソーラーライト１０を設置することもできる。
【００３９】
なお、この取付具４０の支持部４４は、図示の実施の形態では、図５及び図７に示すように、対角線上に配置された４つの支持部４４が設定されており、この支持部４４は、台座１４への取付位置をずらして、台座１４のうちリフレクタの２８の脚部２８Ａが存在しない空間に入り込んで、間隙４６を形成しないように、台座１４に嵌め込むこともできる。
【００４０】
これにより、図５に示すようなラティス格子１Ａに取り付けずに、例えば、図６に示すように、デッキ１Ｂに取り付けたり、図７に示すように、後述する支柱４８を介して土面１Ｃ上に設置する場合等、設置に際し、取付具４０と台座１４との間に設置対象１の一部を挟持する必要がなく、間隙４６を形成する必要がない場合にも対応することができると共に、保管等する際には台座１４の内部に格納して、省スペース化を図ることもできる。
【００４１】
一方、この取付具４０は、図２及び図７に示すように、そのベース部４２の中央付近に、支柱４６を着脱自在に取り付けることができる嵌入孔４２ａを有している。従って、この嵌入孔４２ａに、設置箇所に対応した形状を有する様々な支柱４８を嵌入して取り付けることにより、屋外の様々な箇所に適切に対応して設置することができる。
【００４２】
具体的には、例えば、この嵌入孔４２ａに、図７に示すように、先端が尖った支柱４８を取り付け、この支柱４８を地中に埋めることにより土面１Ｃの上に設置することができる。また、その他、図示しない幅広の支持台を有する支柱を取り付けることにより、手摺り等の上に安定的に設置することもできるし、図示しない安定的に立脚することができる幅広のポール状の支柱を取り付けることにより、コンクリート面等の硬い箇所にも設置することができる。
【００４３】
更に、この取付具４０は、上記のように、台座１４に着脱自在に取り付けられるため、必ずしも、取付具４０を介して設置する必要がない場合には、取り外した状態で使用することもできる。具体的には、例えば、図８に示すように、幅広の支持台４８ａを有する支柱４８を取り付ける場合には、取付具４０を介さず、図８に示すように、リフレクタ２８に形成された胴太の中央脚部２８Ｂに、支柱４８を圧入することにより、ソーラーライト１０を、この支持台４８ａを有する支柱４８によりラティス格子１Ａの枠１Ｄ（手摺り）上に設置することができ、また、同じく上述した図示しない幅広のポール状の支柱４８を取り付ける場合には、このポール状の支柱４８の頂上部に台座１４を直接載置して設置することもできる。
【００４４】
【発明の効果】
本発明によれば、上記のように、発光ユニットの全てを透光性カバーにより覆って、このカバーの内部に発光ユニットを取り付けているため、発光ユニットとカバーの接合部が外部に露出しないので、この接合部から風雨が内部に侵入して発光ユニットが影響を受けることがなく、耐候性、耐久性が向上すると同時に、その結果、屋外の様々な箇所に横倒し等して様々な方法で設置することができる実益がある。
【００４５】
本発明によれば、上記のように、発光ユニットを、略カップ状のカバーによって上方から覆うと共にカバーの底面側の内部に取り付けているため、ソーラーライトを縦置きにした場合には発光ユニットが上方に位置することになるので、外部からの風雨等により影響を受けにくくなると共に、ソーラーライトを横倒しの状態に設置したした場合にも台座から遠い位置に配置されるため、同様に風雨からの影響を受けにくくなる実益がある。
【００４６】
本発明によれば、上記のように、カバーを継ぎ目のない一体成型物としているため、より一層風雨が侵入しにくくなり、耐候性・耐久性を高めることができる実益がある。
【００４７】
本発明によれば、上記のように、発光ユニットを支持するカバーを台座に着脱自在に取り付けているため、必要に応じて、カバーを着脱することにより、内部の発光ユニットやカバー、また、台座を修理したり、簡易に交換してシステムアップ等を容易に行うことができる実益がある。
【００４８】
本発明によれば、上記のように、透光性のカバーに拡散レンズを形成しているため、光の拡散効率を向上させることができる実益がある。
【００４９】
本発明によれば、上記のように、台座に更に取付具を取付け、この台座と取付具との間に間隙を設けているため、例えば、格子等に簡易に取り付けることができる実益がある。
【００５０】
本発明によれば、上記のように、取付具に、支柱の嵌入孔を形成しているため、ガーデンライトを、１つの取付具で支柱を地中等に埋め込んで立脚して設置することができると共に、この支柱として様々な形態を用意することにより、コンクリート等の硬い面や手摺りの上等にも簡易に対応して設置することができる実益がある。
【００５１】
本発明によれば、上記のように、取付具自体を台座に着脱自在に取り付けているため、ソーラーライトの格子等への着脱作業を容易に行うことができると共に、設置箇所に適合した適切な取付具に交換することにより場所を選ばずにソーラーライトを設置することができる実益がある。
【図面の簡単な説明】
【図１】本発明のソーラーライトの側面図である。
【図２】本発明のソーラーライトの縦断面図である。
【図３】本発明のソーラーライトの平面図である。
【図４】本発明に用いられる発光ユニットをカバー部の内部に取り付ける状態の拡大断面図である。
【図５】本発明のソーラーライトをラティス格子に取り付ける状態図である。
【図６】本発明のソーラーライトをデッキに取り付ける状態の概略斜視図である。
【図７】本発明のソーラーライトの取付具に支柱を取り付けて土面に設置する状態図である。
【図８】本発明のソーラーライトをラティス格子の枠に取り付ける状態の概略斜視図である。
【符号の説明】
１　設置対象
１Ａ　ラティス格子
１Ｂ　デッキ
１Ｃ　土面
１Ｄ　ラティス格子の枠
１０　ソーラーライト
１２　発光ユニット
１４　台座
１６　太陽電池
１８　光源
２０　保持体
２２　カバー
２４　拡散手段
２６　拡散レンズ
２８　リフレクタ
２８Ａ　リフレクタの脚部
２８Ｂ　リフレクタの中央脚部
３０　リフレクタ
３２　ビス止め部
３４　ビス
３６　係止部
３８　係止爪
４０　取付具
４２　取付具のベース部
４２ａ　支柱の嵌入孔
４４　取付具の支持部
４６　間隙
４８　支柱
４８ａ　支柱の支持台
【図１】
2004047119.tif 000003
【図２】
2004047119.tif 000004
【図３】
2004047119.tif 000005
【図４】
2004047119.tif 000006
【図５】
2004047119.tif 000007
【図６】
2004047119.tif 000008
【図７】
2004047119.tif 000009
【図８】
2004047119.tif 000010